(57)【特許請求の範囲】
【請求項１】
建物の軒部に、該建物の換気空間と外部とを連通させる略下向きに開口した換気口が設けられており、
前記軒部の内部には、仕切材により、前記換気空間と連通する通気経路と、行き止まりとなる袋小路経路とが形成されているとともに、
前記換気口の直上には、略垂直な板部を有する水切材と、略水平な板部を有する水返材とにより、互いに仕切られた少なくとも２つの雨仕舞い通気経路が形成されており、前記換気口は、これら雨仕舞い通気経路を介して、前記通気経路及び前記袋小路経路と連通していることを特徴とする換気構造。
【請求項２】
前記換気口は、前記軒部の長手方向に長尺のスリット状とされていることを特徴とする請求項１に記載の換気構造。
【請求項３】
前記仕切材の前記通気経路と前記袋小路経路との分岐部には、前記袋小路経路の入口を広げるように前記通気経路側に下り勾配で傾斜した水返部が設けられていることを特徴とする請求項１又は２に記載の換気構造。
【請求項４】
前記通気経路には、前記袋小路経路側に下り勾配で傾斜した水返部が設けられていることを特徴とする請求項１乃至３のいずれか１項に記載の換気構造。
【請求項５】
請求項１乃至４のいずれか１項に記載の換気構造を備えていることを特徴とする建物。
【発明の詳細な説明】
【技術分野】
【０００１】
本発明は、建物の換気構造、及びこの換気構造を備えた建物に関するものである。
【背景技術】
【０００２】
近年の建物においては、建物本体の耐久性を高めるためなどの目的で、屋根裏などの換気が行える換気構造が多く実施されている。
【０００３】
例えば特許文献１に開示された換気構造では、雨仕舞いを考慮して、軒部の下側に換気口が設けられ、屋根裏空間と連通している。
【先行技術文献】
【特許文献】
【０００４】
【特許文献１】特開２００９−１３６７８号公報
【発明の概要】
【発明が解決しようとする課題】
【０００５】
しかしながら、特許文献１のような換気構造では、換気性能を高くしようとして換気口を大きくすると、この大きな換気口から風雨が吹き込んで雨仕舞い性能が低くなってしまい、雨仕舞い性能を高くしようとして換気口を小さくすると換気性能が低くなってしまうという問題があった。
【０００６】
そこで、本発明は、換気性能に優れているうえに、雨仕舞い性能にも優れている換気構造、及びこの換気構造を備えた建物を提供することを目的としている。
【課題を解決するための手段】
【０００７】
前記目的を達成するために、本発明の換気構造は、建物の軒部に、該建物の換気空間と外部とを連通させる略下向きに開口した換気口が設けられており、前記軒部の内部には、仕切材により、前記換気空間と連通する通気経路と、行き止まりとなる袋小路経路とが形成されていることを特徴とする。
【０００８】
ここで、前記換気口は、前記軒部の長手方向に長尺のスリット状とされているとよい。
【０００９】
また、前記仕切材の前記通気経路と前記袋小路経路との分岐部には、前記袋小路経路の入口を広げるように前記通気経路側に下り勾配で傾斜した水返部が設けられているとよい。
【００１０】
さらに、前記通気経路には、前記袋小路経路側に下り勾配で傾斜した水返部が設けられているとよい。
【００１１】
また、前記換気口の直上には、略垂直な板部を有する水切材と、略水平な板部を有する水返材とにより、雨仕舞い通気経路が形成されており、前記換気口は、該雨仕舞い通気経路を介して、前記通気経路及び前記袋小路経路と連通しているとよい。
【００１２】
本発明の建物は、上記した本発明の換気構造を備えていることを特徴とする。
【発明の効果】
【００１３】
このような本発明の換気構造は、建物の軒部に、建物の換気空間と外部とを連通させる略下向きに開口した換気口が設けられており、軒部の内部には、仕切材により、換気空間と連通する通気経路と、行き止まりとなる袋小路経路とが形成された構成とされている。
【００１４】
こうした構成なので、換気口を大きくしても、この換気口から流入した風雨の大半は袋小路経路に一旦流入し、行き止り部で雨水は水切りされて流下し、換気用空気のみが迂回して通気経路に流れるため、換気性能に優れているうえに、雨仕舞い性能にも優れたものとすることができる。
【００１５】
そのうえ、強い風雨を受けても、袋小路経路内でその圧力が弱められるので、台風などの暴風雨時にも対応することができる。
【００１６】
ここで、換気口が、軒部の長手方向に長尺のスリット状とされている場合は、換気口は、換気空間に向かう水平方向には短く、軒部の長手方向には長くなるので、換気性能と雨仕舞い性能との両方を考慮して、換気口の開口面積を大きくするのに有効である。
【００１７】
また、仕切材の通気経路と袋小路経路との分岐部には、袋小路経路の入口を広げるように通気経路側に下り勾配で傾斜した水返部が設けられている場合は、水返部で広がった入口から袋小路経路に一旦流入する風雨の量をより多くすることができるので、雨仕舞い性能をより高めることができる。
【００１８】
さらに、通気経路には、袋小路経路側に下り勾配で傾斜した水返部が設けられている場合は、万一、雨水が通気経路の上部まで上ってきた際も、水返部で換気空間への浸入を防ぐことができる。
【００１９】
また、換気口の直上には、略垂直な板部を有する水切材と、略水平な板部を有する水返材とにより、雨仕舞い通気経路が形成されており、換気口は、雨仕舞い通気経路を介して、通気経路及び袋小路経路と連通している場合は、換気口から流入した風雨は、雨仕舞い通気経路を通る際にかなりの量の雨水が水切材や水返材にあたって流下し取り除かれるので、さらにより雨仕舞い性能を高めることができる。
【００２０】
このような本発明の建物は、上記した本発明の換気構造を備えた構成とされている。
【００２１】
こうした構成なので、上記した効果を奏する建物を構築することができる。
【図面の簡単な説明】
【００２２】
【図１】実施例の換気構造を備えた建物の概略構成を示す斜視図である。
【図２】図１におけるＡ−Ａ線矢視拡大断面図であって、実施例の換気構造の概略構成を説明するための説明図である。
【発明を実施するための形態】
【００２３】
以下、本発明を実施するための形態を、図面に示す実施例に基づいて説明する。
【実施例】
【００２４】
先ず、実施例の構成について説明する。
【００２５】
図１は、実施例の換気構造を備えた建物１の概略構成を示している。
【００２６】
まず、この建物１は、図１に示したように、基礎１Ｂの上に、建物本体１Ａが構築されている。
【００２７】
この実施例の換気構造では、図１及び図２に示したように、野地板７の上面に防水シート８を介して貼設した屋根材９の立ち上がり端部に固定手段としてのビス１０，・・・により、複数のブラケット５，・・・が軒先に沿って間隔をあけて設けられている。
【００２８】
ここで、複数のブラケット５，・・・は、その下側で、外壁１１が雨垂れで汚れるのを防止する下部水切材５１により、一体に形成されており、下部水切材５１は、外壁１１及び桟材１１ａの上面に防水シート１２及び防水パッキン１３を介して載置される。
【００２９】
なお、下部水切材５１の基部は、複数のブラケット５，・・・がより安定するように、固定手段としてのビス２６，・・・により、後述する垂木受材１６の垂直部に防水材２０を介して固定されている。
【００３０】
また、固定手段としてのビス１０，・・・は、仕切材としての上側仕切材２１の内側端部も固定している。
【００３１】
さらに、天井梁１４の上側フランジ部上に設けられた垂木１５を支持する断面略Ｌ字形の垂木受材１６には、断面略逆Ｌ字形の下側仕切材２２がこれらの垂直部同士を溶接などで接合して設けられている。
【００３２】
そして、上側仕切材２１の水平部と下側仕切材２２の水平部との間には、スペーサー１７が固定手段としてのビス１８，・・・で固定して設けられ、通気経路Ｋ１が形成されている。
【００３３】
ここで、上側仕切材２１の外側端部には、通気経路Ｋ１側に下り勾配で傾斜した水返部２１ａが設けられている。
【００３４】
また、下側仕切材２２の垂直部の外側面には、防水材２０を介して、水返材３が固定手段としてのリベット２３で固定して設けられている。
【００３５】
ここで、水返材３の上端部には、建物１の外部側に下り勾配で傾斜した水返部３１が設けられている。
【００３６】
さらに、ブラケット５の下部の補強リブには、断面略逆Ｌ字形の水切材４１が、固定手段としてのリベット２４で固定して設けられ、水返材３の下端部には、断面略倒Ｌ字形の水返材４２の断面略Ｔ字形の基部が固定手段としてのリベット２５，２５で固定して設けられて、雨仕舞い通気経路Ｋ３が形成されている。
【００３７】
そして、複数のブラケット５，・・・に軒カバー６を嵌め込み、固定手段としてのビス１９，・・・で固定することにより、軒部Ｎが形成されている。
【００３８】
このように軒カバー６が複数のブラケット５，・・・に嵌め込み固定されることにより、軒カバー６の下端部と下部水切材５１の基部との間には、軒部Ｎの長手方向に長尺のスリット状の略下向きに開口した換気空間としての屋根裏空間Ｙと連通する換気口Ｅが形成される。
【００３９】
また、軒カバー６の上部と上側仕切材２１との間には、行き止まりとなる袋小路経路Ｋ２が形成される。
【００４０】
これにより、建物１の外部からの空気は、図２に示したように、矢印Ｗの方向に流れて、雨仕舞いが確実になされたうえで、屋根裏空間Ｙの充分な換気が可能とされている。
【００４１】
次に、実施例の作用効果について説明する。
【００４２】
このような実施例の換気構造は、建物１の軒部Ｎに、建物１の換気空間としての屋根裏空間Ｙと外部とを連通させる略下向きに開口した換気口Ｅが設けられており、軒部Ｎの内部には、仕切材としての上側仕切材２１により、屋根裏空間Ｙと連通する通気経路Ｋ１と、行き止まりとなる袋小路経路Ｋ２とが形成された構成とされている。
【００４３】
こうした構成なので、換気口Ｅを大きくしても、この換気口Ｅから流入した風雨の大半は袋小路経路Ｋ２に一旦流入し、行き止り部で雨水は水切りされて流下し、換気用空気のみが迂回して通気経路Ｋ１に流れるため、換気性能に優れているうえに、雨仕舞い性能にも優れたものとすることができる。
【００４４】
そのうえ、強い風雨を受けても、袋小路経路Ｋ２内でその圧力が弱められるので、台風などの暴風雨時にも対応することができる。
【００４５】
ここで、換気口Ｅが、軒部Ｎの長手方向に長尺のスリット状とされている。
【００４６】
このため、換気口Ｅは、屋根裏空間Ｙに向かう水平方向には短く、軒部Ｎの長手方向には長くなるので、換気性能と雨仕舞い性能との両方を考慮して、換気口Ｅの開口面積を大きくするのに有効である。
【００４７】
また、仕切材としての上側仕切材２１の通気経路Ｋ１と袋小路経路Ｋ２との分岐部となる下端部には、袋小路経路Ｋ２の入口を広げるように通気経路Ｋ１側に下り勾配で傾斜した水返部２１ａが設けられている。
【００４８】
このため、水返部２１ａで広がった入口から袋小路経路Ｋ２に一旦流入する風雨の量をより多くすることができるので、雨仕舞い性能をより高めることができる。
【００４９】
さらに、通気経路Ｋ１には、袋小路経路Ｋ２側に下り勾配で傾斜した水返部３１が設けられている。
【００５０】
このため、万一、雨水が通気経路Ｋ１の上部まで上ってきた際も、水返部３１で屋根裏空間Ｙへの浸入を防ぐことができる。
【００５１】
また、換気口Ｅの直上には、断面略逆Ｌ字形の水切材４１と、断面略倒Ｌ字形の水返材４２とにより、雨仕舞い通気経路Ｋ３が形成されており、換気口Ｅは、雨仕舞い通気経路Ｋ３を介して、通気経路Ｋ１及び袋小路経路Ｋ２と連通している。
【００５２】
このため、換気口Ｅから流入した風雨は、雨仕舞い通気経路Ｋ３を通る際にかなりの量の雨水が水切材４１や水返材４２にあたって流下し取り除かれるので、さらにより雨仕舞い性能を高めることができる。
【００５３】
このような実施例の建物１は、上記した実施例の換気構造を備えた構成とされている。
【００５４】
こうした構成なので、上記した作用効果を奏する建物を構築することができる。
【００５５】
以上、図面を参照して、本発明を実施するための形態について実施例をもとに詳述してきたが、具体的な構成は、上記した実施例に限らず、本発明の要旨を逸脱しない程度の設計的変更は、本発明に含まれる。
【００５６】
例えば、上記した実施例では、換気空間を屋根裏空間Ｙとして実施したが、これに限定されず、換気空間をバルコニーの床下空間などにして実施してもよい。
【００５７】
また、上記した実施例では、軒部Ｎの長手方向に長尺のスリット状の換気口Ｅを設けて実施したが、これに限定されず、例えば、軒部Ｎの長手方向に沿って複数の円状の換気口を設けるなどして実施してもよい。
【符号の説明】
【００５８】
１      建物
１Ａ    建物本体
１Ｂ    基礎
２１    上側仕切材（仕切材）
２１ａ  水返部
２２    下側仕切材
３      水返材
３１    水返部
４１    水切材
４２    水返材
５      ブラケット
５１    下部水切材
６      軒カバー
７      野地板
８      防水シート
９      屋根材
１０    ビス（固定手段）
１１    外壁
１１ａ  桟材
１２    防水シート
１３    防水パッキン
１４    天井梁
１５    垂木
１６    垂木受材
１７    スペーサー
１８    ビス（固定手段）
１９    ビス（固定手段）
２０    防水材
２３    リベット（固定手段）
２４    リベット（固定手段）
２５    リベット（固定手段）
２６    リベット（固定手段）
Ｅ      換気口
Ｋ１    通気経路
Ｋ２    袋小路経路
Ｋ３    雨仕舞い通気経路
Ｎ      軒部
Ｙ      屋根裏空間（換気空間）
【図１】
0005543986.tif 000002
【図２】
0005543986.tif 000003